(57)【要約】【課題】無線マルチホップネットワークの保守作業などを行う際に、保守対象となる目的のノードのＩＤ（番号）をエラーメッセージなどから入手しても、実際の設置場所が特定できないため、目視で機器番号等を確認する方法しかとれないという問題点があった。【解決手段】無線マルチホップネットワークで用いられているリンク情報を用い、利用者が携帯する検索用端末装置（モバイルＰＣ）と目的のノードまでの各経路のＨｏｐ数（通信中の中継ノードの数）を収集し、収集したＨｏｐ数から、その値で目的のノードまでの近さを表示する（Ｈｏｐ数が小…近い、Ｈｏｐ数が大…遠い）。【選択図】図１
2007306280.tif 000002
【特許請求の範囲】
【請求項１】
自ノードの検索用端末装置と目的のノードまでの最短経路のＨｏｐ数による、自ノード及び目的ノード間の近さを提示する方式。
【請求項２】
自ノードの検索用端末装置と目的のノードまでの複数経路のＨｏｐ数を数ヶ所の位置で収集することにより各収集位置から目的ノードの予想方向を提示する方式。
【請求項３】
無線マルチホップネットワークにおいて、
自ノードの検索用端末装置と目的のノードまでの最短経路のＨｏｐ数を調査し、調査結果に応じて自ノード及び目的ノード間の近さを提示することを特徴とする無線マルチホップネットワークの任意のノードの位置を検索表示する方式。
【請求項４】
無線マルチホップネットワークにおいて、
自ノードの検索用端末装置と目的のノードまでの複数経路のＨｏｐ数を数ヶ所の位置で収集し、Ｈｏｐ数を収集した各収集位置から目的ノードの予想方向を提示することを特徴とする無線マルチホップネットワークの任意のノードの位置を検索表示する方式。
【発明の詳細な説明】
【技術分野】
【０００１】
本発明は、無線マルチホップネットワークにおけるノード位置の検索表示方式に関し、特に、無線マルチホップネットワークの目的とする任意のノードの位置を調査検索して表示する方式に関する。
【背景技術】
【０００２】
センサネットワークシステムなど、無線マルチホップネットワークで接続する構成において、構成要素の無線ノード装置は、非常に多くの数で構成され、広範囲で規則性のない場所や、視覚的に見えないところ（天井、壁、床、機器内など）に設置されていることもある。また、ノードは安価で小型であるため、ノードの追加や削除が頻繁に行われ、全体のノードの位置や構成が分かり難いシステムである。
【０００３】
特許文献１には、ホップ数の違いで生じるパケット間のスループット格差を解消する送信ノード、中継ノードの提供することが記載されている。また、特許文献２には、自律的にルートノードとなる無線ノードをルートとしたツリー型マルチホップ無線システムを構築することができる無線ノード装置及びマルチホップ型無線システムを提供することが記載されている。更に、特許文献３には、少ないメッセージ送信頻度で移動特性に適応して安定した通信を実現することが記載されている。
また、特許文献４には、周波数利用効率を向上させることをメトリックとした経路発見作成プロトコルによるマルチホップ伝送が記載され、特許文献５には、通信経路ごとの各無線端末の電池の消耗量の偏りを防止して、安定なマルチホップ無線通信を実現することが記載されている。
【特許文献１】特開２００３−２７３７８８号公報
【特許文献２】特開２００６−５０４６０号公報
【特許文献３】特開２００５−１６８０２０号公報
【特許文献４】特開２００６−３３２８９号公報
【特許文献５】特開２００５−２９５３１０号公報
【発明の開示】
【発明が解決しようとする課題】
【０００４】
センサネットワークシステムの保守作業などを行う際に、保守対象となる目的のノードのＩＤ（番号）をエラーメッセージなどから入手しても、実際の設置場所が特定できないため、１つ１つ目視で機器番号等を確認する方法しかとれなかった。しかしながら、という問題があった。
【０００５】
本発明は、目的のノードを見つけるために、現在位置と目的のノードの設置位置（場所）の位置関係（予測方向）や近さを視覚的に表示する方法を提供することを目的とする。
【課題を解決するための手段】
【０００６】
本発明では、無線マルチホップネットワークで用いられているリンク情報を用い、利用者が携帯する検索用端末装置（モバイルＰＣ）と目的のノードまでの各経路のＨｏｐ数（通信中の中継ノードの数）を収集し、収集したＨｏｐ数から、その値で目的のノードまでの近さを表示する（Ｈｏｐ数が小…近い、Ｈｏｐ数が大…遠い）。
また、利用者は携帯する検索用端末装置の位置（場所）を変え、数ヶ所でＨｏｐ数の収集を行う。１回前に収集したＨｏｐ数の経路と今回収集したＨｏｐ数の経路を比較して、目的の方向を予測表示する（Ｈｏｐ数の経路が前回：なし、今回：あり…前回より今回の方が近づいているので、前回位置→今回位置の方向）ことを特徴とする。
【発明の効果】
【０００７】
本発明によれば、非常に多くの数のノードが、広範囲で規則性のない場所で、視覚的に見えないところに設置されていても、目的のノードの設置位置（エリア）の絞り込みが容易になる。ことができる
【発明を実施するための最良の形態】
【０００８】
以下、図面を用いて、本発明の実施の形態について説明する。
【実施例】
【０００９】
図１は、本発明の実施例のシステム構成を示す図である。
図１において、調査（１）では、目的のノードとのＨｏｐ数を各経路で調査する。調査（２）では、Ｈｏｐ１の数が増えているので、目的のノードに近づいていることを示している。調査（３）では、Ｈｏｐ０（直接接続）の数が増えているので、目的のノードにもっと近づいていることを示している。調査（４）では、Ｈｏｐ０（直接接続）の数が減っているので、目的のノードから遠ざかっていることを示している。このように目的のノードとのＨｏｐ数を調査することにより、目的のノードまでの「近さ」を知ることができる。
【００１０】
図２は、本発明の実施例の手順を示すフローチャートである。図２では、無線マルチホップネットワークにおいて通常時、各ノードは自律的に、ステップ（１）において、隣接ノードメッセージ（Ｈｅｌｌｏメッセージ）を各隣接するノードへ送信し、隣接するノードが情報（ＩＤ）を蓄積する。また、ステップ（２）において、リンクテーブル要求メッセージを送信し、ノードが蓄積した各ノードのリンク情報（リンクテーブル）を要求し、ステップ（３）において、リンクテーブルデータ（リンク情報）を受信後、ノード内のリンクテーブルを更新する。目的のノードの検索時、検索用端末装置は目的のノードまでのＨｏｐ数要求メッセージを、ステップ（４）において、各隣接するノードへ送信し、ステップ（５）において、各経路から返信されたＨｏｐ数データを蓄積する。検索用端末装置の位置を変え、ステップ（４）において、Ｈｏｐ数要求メッセージを送信し、ステップ（５）において、Ｈｏｐ数データの受信を数回行い、それぞれの位置でのＨｏｐ数の結果を解析し、目的のノードまでの「近さ」、「予測方向」を表示する。
【００１１】
図３〜図２０は、本発明を更に説明する参考例である。
【産業上の利用可能性】
【００１２】
本発明は、センサネットワーク導入・保守運用サービスへの適用が可能である。
【図面の簡単な説明】
【００１３】
【図１】図１は、本発明の実施例のシステム構成を示す図である。
【図２】図２は、本発明の実施例の手順を示すフローチャートである。
【図３】図３は、本発明を更に説明する参考例である。
【図４】図４は、本発明を更に説明する参考例である。
【図５】図５は、本発明を更に説明する参考例である。
【図６】図６は、本発明を更に説明する参考例である。
【図７】図７は、本発明を更に説明する参考例である。
【図８】図８は、本発明を更に説明する参考例である。
【図９】図９は、本発明を更に説明する参考例である。
【図１０】図１０は、本発明を更に説明する参考例である。
【図１１】図１１は、本発明を更に説明する参考例である。
【図１２】図１２は、本発明を更に説明する参考例である。
【図１３】図１３は、本発明を更に説明する参考例である。
【図１４】図１４は、本発明を更に説明する参考例である。
【図１５】図１５は、本発明を更に説明する参考例である。
【図１６】図１６は、本発明を更に説明する参考例である。
【図１７】図１７は、本発明を更に説明する参考例である。
【図１８】図１８は、本発明を更に説明する参考例である。
【図１９】図１９は、本発明を更に説明する参考例である。
【図２０】図２０は、本発明を更に説明する参考例である。
【符号の説明】
【００１４】
Ｎ１    目的のノード
Ｎ６    検索用端末装置
【図１】
2007306280.tif 000003
【図２】
2007306280.tif 000004
【図３】
2007306280.tif 000005
【図４】
2007306280.tif 000006
【図５】
2007306280.tif 000007
【図６】
2007306280.tif 000008
【図７】
2007306280.tif 000009
【図８】
2007306280.tif 000010
【図９】
2007306280.tif 000011
【図１０】
2007306280.tif 000012
【図１１】
2007306280.tif 000013
【図１２】
2007306280.tif 000014
【図１３】
2007306280.tif 000015
【図１４】
2007306280.tif 000016
【図１５】
2007306280.tif 000017
【図１６】
2007306280.tif 000018
【図１７】
2007306280.tif 000019
【図１８】
2007306280.tif 000020
【図１９】
2007306280.tif 000021
【図２０】
2007306280.tif 000022